(57)【特許請求の範囲】
【請求項１】
加熱室及び該加熱室に被加熱物を出し入れする開口部を備えた本体部と、両側の下部外面にほぼ円柱状の扉ピンが突設され、前記本体部の開口部を開閉する扉とを有し、
前端部に前記扉ピンが嵌合する嵌合穴を有し、ローラが設けられて前記本体部のベースの両側に固定された継手台と、両端部に係合部を有し、前記継手台に回動可能に連結されたロッキングプレートと、前記継手台のローラ上に摺動可能に配設され、前端部に前記扉の両側に設けた扉ヒンジの扉アームピンに係合する係合部を有し、前記扉の回動範囲を規制する扉アームと、該扉アームの本体部側とロッキングプレートの本体部側との間に介装されて前記扉の開閉動作を付勢するばねとを備えたことを特徴とする高周波加熱調理器。
【請求項２】
前記継手台は、前記本体部のベースに固定される水平部及び垂直部からなる本体と、前記垂直部の前端部が前面側に延設されて前端部に前記扉ピンが嵌合する嵌合穴が設けられた継手部と、前記垂直部に回動自在に取付けられたローラとからなり、
前記継手台に回動可能に連結されたロッキングプレートは、本体の両側から延設された腕部を有し、該腕部の前端部に前記継手台の嵌合穴に嵌合した扉ピンをロックする係合部が設けられ、該係合部の前面側に形成された傾斜面からなることを特徴とする請求項１記載の高周波加熱調理器。
【請求項３】
前記ロッキングプレートを、該ロッキングプレートの重心より本体部側で、かつ前記扉ピンより上方において前記継手台に回動可能に連結したことを特徴とする請求項１又は２記載の高周波加熱調理器。
【請求項４】
前記ロッキングプレートは、前後方向が対称形状であることを特徴とする請求項１〜３のいずれかに記載の高周波加熱調理器。
【発明の詳細な説明】
【技術分野】
【０００１】
本発明は、高周波加熱調理器に係り、より詳しくは、高周波加熱調理器の本体部の前面開口部を開閉する扉の取付構造に関するものである。
【背景技術】
【０００２】
従来の高周波加熱調理器に、扉を支持する扉ヒンジ、扉アーム及び扉バネをユニット化し、Ｄカットされた扉ピンを有する扉を扉ヒンジに設けた挿入路を通して取付けて、扉アームの不可逆動作構造を利用して取付後の扉の離脱を防止するようにしたものがある（例えば、特許文献１参照）。
【０００３】
また、扉の両端部にそれぞれ円柱状の回転軸を設けると共に、本体に回転軸を挿入保持する丸穴を備えた突出部を設けたものがある（例えば、特許文献２参照）。
【先行技術文献】
【特許文献】
【０００４】
【特許文献１】特開平６−２２１５７３号公報（第３頁、図１）
【特許文献２】特開平９−２６４５３９号公報（第４−５頁、図１）
【発明の概要】
【発明が解決しようとする課題】
【０００５】
特許文献１の発明においては、Ｄカットされた扉ピンを挿入路に挿入する際に、扉ピンのＤカットの方向と挿入路との方向が一致しないと、挿入路に扉ピンが当って挿入路にムリな力が加わり挿入路が広がってガタが生ずるばかりでなく、強度が低下する。このような問題を防止するために、組立作業者は扉ピンの挿入方向に細心の注意をはらわなければならず、このため組立作業性が悪いという問題があった。
【０００６】
また、扉ピンはＤカットされているため、カット部にバリなどがあると扉の回動がスムーズでなく異音が発生することがあり、このため扉の強度が低下して開閉寿命が短かくなるなどの問題がある。このようなことから、扉ピンのＤカットの後加工や表面仕上精度が要求されるため、加工が面倒であった。
【０００７】
さらに、扉は通常使用時よりも下方に傾けた状態で装置本体に取付けるため、扉の自由端が組立ラインのベルトコンベア、治工具、設備機器等と接触し易く、搬送が不円滑になったり損傷したりするおそれがある。
【０００８】
特許文献２の発明においては、扉を取付ける場合は扉を本体の開口部の前面側に向けて倒した状態で近付け、扉ヒンジに設けたピンを本体ヒンジに設けた丸穴に挿入するときは、扉を通常使用時より大きく開き、扉を横方向にスライドさせなければならないので、組立が面倒で作業性が悪い。
【０００９】
また、扉を横方向にスライドさせるためには、本体ヒンジが扉と干渉しないように扉側に本体ヒンジを避けるための大きな切り欠きを設ける必要があり、扉の小形化、デザイン性が損われるという問題がある。
また、扉を倒した状態で取付けるため、その自由端が組立ラインのベルトコンベア、治工具、設備機器等と接触し易く、搬送が不円滑になったり損傷したりするおそれがある。
【００１０】
本発明は、上記の課題を解決するためになされたもので、扉が外れるおそれがなく円滑に開閉することができ、その上組立作業及びメンテナンス作業が容易な信頼性の高い高周波加熱調理器を提供することを目的としたものである。
【課題を解決するための手段】
【００１１】
本発明に係る高周波加熱調理器は、加熱室及び該加熱室に被加熱物を出し入れする開口部を備えた本体部と、両側の下部外面にほぼ円柱状の扉ピンが突設され、前記本体部の開口部を開閉する扉とを有し、前端部に前記扉ピンが嵌合する嵌合穴を有し、ローラが設けられて前記本体部のベースの両側に固定された継手台と、両端部に係合部を有し、前記継手台に回動可能に連結されたロッキングプレートと、前記継手台のローラ上に摺動可能に配設され、前端部に前記扉の両側に設けた扉ヒンジの扉アームピンに係合する係合部を有し、前記扉の回動範囲を規制する扉アームと、該扉アームの本体部側とロッキングプレートの本体部側との間に介装されて前記扉の開閉動作を付勢するばねとを備えたものである。
【発明の効果】
【００１２】
本発明によれば、扉に設けられて本体部に連結する扉ピンは、継手台に設けた嵌合穴に嵌合され、ロッキングプレートの係合部でロックされるので外れるおそれがなく、円滑に開閉することができ、また、本体部への扉の取付け及び取外しが容易で組立作業性、メンテナンス作業性を向上することのできる信頼性の高い高周波加熱調理器を得ることができる。
【図面の簡単な説明】
【００１３】
【図１】本発明の一実施の形態に係る高周波加熱調理器の外観斜視図である。
【図２】図１の扉を開いた状態を示す斜視図である。
【図３】本体部のベースへの扉の取付状態を示す斜視図である。
【図４】図３の継手台及びロッキングプレートの斜視図である。
【図５】図３の扉アームの斜視図である。
【図６】本体部への扉の取付手順を説明する図３の要部の説明図である。
【図７】本体部への扉の取付手順を説明する図３の要部の説明図である。
【図８】本体部への扉の取付手順を説明する図３の要部の説明図である。
【発明を実施するための形態】
【００１４】
本発明の一実施の形態に係る高周波加熱調理器を示す図１、図２において、１は前面が開口された箱状の本体部で、ベース７とケース８とからなり、内部には加熱室２やマグネトロンなどの加熱手段（図示せず）が設けられており、前面側には加熱室２に被加熱物を出し入れする加熱室開口部４を有する前面パネル３が設けられている。５は前面パネル３の両側に設けられたスリット状のアーム穴、６はアーム穴５の下部に設けられたスリット状の継手部穴である。
【００１５】
１０は本体部の前面側に設けられて、加熱室開口部４を開閉する扉で、扉本体１１、扉本体１１の前面及び外周を覆う前扉カバー１２及び扉本体１１の背面側を覆う後扉カバー１３からなり、本体部１の加熱室開口部４に対応して透視窓１４が設けられている。１５は透視窓１４に隣接して設けられた操作部である。なお、１２ａは扉１０のハンドルである。
【００１６】
図３は本体部１への扉１０の取付構造を示すもので、７は本体部１のベース、１０はベース７に取付けられた扉である。なお、図３には、ベース７の加熱室２、前面パネル３及びケース８、扉２の前扉カバー１２及び後扉カバー１３は省略してある。
１６は扉本体１１の両側下部において外方に突設されたほぼ円柱状の一対の扉ピンである。１７は扉ピン１６の上方において扉本体１１の両側に、スポット溶接等により取付けられた扉ヒンジで、それぞれ内側に突設されたほぼ円柱状の扉アームピン１８が設けられている。
【００１７】
２０はベース７の前面側の両側上面に取付けられた一対の継手台、３０は継手台２０の内側にそれぞれ回動可能に連結されたロッキングプレートである。
継手台２０は、図４に示すように、水平部２１ａと、これより短かく前面側（図の右側）が高く突設された垂直部２１ｂとからなる本体２１と、垂直部２１ｂの前端部から外方に折り曲げられたのち前面側に延設された継手部２２とからなり、継手部２２の先端部には前面側に開口する嵌合穴２３が設けられている。そして、垂直部２１ｂの頂部には、ローラピン２４ａによりローラ２４が回転自在に取付けられる。
【００１８】
ロッキングプレート３０は、継手台２０とほぼ同じ長さで、継手台２０の垂直部２１ｂとほぼ同じ長さの本体３１と、本体３１の前後が外方に折り曲げられたのち前後方向に延設された腕部３２ａ，３２ｂとにより前後対称に形成されており、腕部３２ａ，３２ｂの先端部には、下方に開口する係合部３３ａ，３３ｂが設けられて、その先端部にはそれぞれ傾斜面３４ａ，３４ｂが形成されている。
そして、このロッキングプレート３０は、その重心よりベース７側（図の左方）で、かつ扉ピン１６より上方において、軸３５をかしめるなどして、継手台２０の垂直部２１ｂに回動可能に連結され、ユニット化されている。
【００１９】
４０は本体部１に対する扉１０の開き角度（回動範囲）を規制する左右一対の扉アームで、図５に示すように、後面側（ベース７側）に位置する頭部４１と胴部４２と尾部４３とからなり、頭部４１の先端部には後述のばねの一端が係止する係止部４４が設けられており、頭部４１の下部にはほぼ円弧状に延設されたストッパ部４５が形成されている。また、ストッパ部４５から胴部４２の下縁にかけて、継手台２０のローラ２４に摺接する摺接部４６が設けられており、尾部４３には扉アームピン１８に係合する係合部４７が設けられている。なお、５０はロッキングプレート３０の係合部３３ａと、扉アーム４０の係止部４４との間に介装されたばねである。
【００２０】
次に、上記のように構成した本実施の形態に係る高周波加熱調理器の本体部１への扉１０の取付手順の一例について説明する。
先ず、図３に示すように、ベース７の前面側（図の右方）の両側上面に、ローラ２４が取付けられ、ロッキングプレート３０が連結された継手台２０の本体２１の水平部２１ａを、その継手部２２をベース７の前縁部から突出させて、ねじにより固定する。
【００２１】
ついで、ベース７に加熱室２などを取付ける。また、前面パネル３を、その左右に設けた継手部穴６を継手台２０の継手部２２に嵌合し、ベース７の前縁部に取付ける。
【００２２】
次に、図６に示すように、扉１０を前面パネル３の前に立てた状態で配置し、扉１０の左右に設けた扉ピン１６を、ベース７に取付けた左右の継手台２０の嵌合穴２３と整合させて扉１０をベース７に向って押圧すると、継手台２０に軸３５により回動可能に連結されたロッキングプレート３０の先端部に設けた傾斜面３４ｂが扉ピン１６により押し上げられ、さらに扉１０を押し込むと、扉ピン１６は図６（ｂ）に示すように、ロッキングプレート３０の傾斜面３４ｂから外れて、図７に示すように、継手部２２の嵌合穴２３に嵌入し、同時にロッキングプレート３０が元の位置に戻り、係合部３３ｂが扉ピン１６に係合して扉ピン１６をロックする。
【００２３】
次に、左右の扉アーム４０の尾部４３を前面パネル３の背面側（ベース７側）から、その摺接部４６を継手台２０のローラ２４に摺接させて、前面パネル３に設けた左右のアーム穴５にそれぞれ挿入し、図８に示すように、その係合部４７を扉ヒンジ１７に設けた扉アームピン１８に係止させる。また、扉アーム４０の頭部４１に設けた係止部４４と、ロッキングプレート３０の係合部３３ａとの間に、ばね５０を介装し、扉アーム４０をローラ２４を中心に反時計回り方向に回動しうるように付勢し、扉１０に閉止方向の回動力を付与する。
これにより、扉１０の本体部１への取付けが終了する。なお、上記の扉１０の本体部１への取付け手順はその一例を示すもので、これに限定するものではない。
【００２４】
上記の説明から明らかなように、本実施の形態によれば、扉１０をベース７（本体部１）の前に立てた状態で本体部１側に押し込んで本体部１に取付けるようにしたので、従来のように、扉を通常の使用時より下方に開いて傾けて位置させ、かつ左右にスライドさせて取付けるような面倒な作業が不要になり、組立作業性を向上することができる。
【００２５】
また、扉１０を立てた状態で本体部１に取付けるので、従来のように、組立ラインのベルトコンベア、治工具、設備機器等に接触して搬送が不円滑になったり、損傷したりすることがない。
さらに、組立にあたっては、前面側や横方向に余分なスペースを必要とせず、また、部品の干渉を避けるために扉に逃がし部を設ける必要もないので、扉１０の小型化やデザイン性を損ねることもない。
【００２６】
また、扉ピン１６をほぼ円柱状に形成したのでバリなどが発生することがなく、このため製造、組立が容易であり、扉１０を円滑に回動することができ、異音などを発することもない。
【００２７】
上記のように構成した高周波加熱調理器において、例えば、被加熱物を加熱するために、図２に示すように、ハンドル１２ａを持って扉１０を開放すると、扉１０は、図３に示すように、扉ピン１６を軸に回動する。このとき、係合部４７が扉１０に設けた扉ヒンジ１７の扉アームピン１８に係合する扉アーム４０は、その摺接部４６が継手台２０のローラ２４に沿って時計回り方向に回動しながら前面側に移動し、ストッパ部４５がローラ２４に当って停止する。
このとき、扉１０は回動死点を超えているため、その位置（ベース７とほぼ同一平面上）に保持される。
【００２８】
扉１０を閉じるため、ハンドル１２ａを僅かに持ち上げると、扉アーム４０はばね５０によりローラ２４に沿って反時計回り方向に回動しつつ後部側に移動し、扉ヒンジ１７の扉アームピン１８を介して扉アーム４０に連結された扉１０は、扉ピン１６を軸に回動し、本体部１の前面側を閉止する。このときの状態を図１、図８に示す。
【００２９】
本発明によれば、扉１０を本体部１の前面側に立てた状態で配置して本体部１に取付けるようにしたので組立作業が容易で作業性を向上することができる。
【００３０】
また、扉１０に設けた扉ピン１６を、ベース７に固定した継手台２０の継手部２２に設けた嵌合穴２３に嵌合すると共に、継手台２０に回動可能に連結したロッキングプレート３０の係合部３３ｂでロックし、このロッキングプレート３０の回動中心をその重心より本体部１側（後方）に、かつ扉ピン１６より上方に設け、さらに、ロッキングプレート３０と扉アーム４０との間に介装したばねにより、ロッキングプレート３０に時計回り方向の回転力を付与したので、扉ピン１６はロッキングプレート３０の係合部３３ｂにより確実にロックされて外れることがなく、信頼性を向上することができる。
【００３１】
また、尾部４３に設けた係止部４７が扉ヒンジ１７に設けた扉アームピン１８に係止する扉アーム４０は、その頭部４１とロッキングプレート３０との間に介装されたばね５０により、反時計回り方向の回動力が付与されて、扉１０を閉止方向に付勢しているため、係止部４７が扉アームピン１８を確実にロックし、外れることがない。
【００３２】
また、本発明においては、ロッキングプレート３０と扉アーム４０との間に介装されたばね５０を外せば、ロッキングプレート３０による扉ピン１６及び扉アーム４０による扉アームピン１８のロックを解除できるので、扉１０を手前に引くことにより本体部１から容易に取外すことができるため、扉１０の取付け、取外しが容易で、組立性、メンテナンス性を向上することができる。
【符号の説明】
【００３３】
１  本体部、２  加熱室、３  前面パネル、５  アーム穴、６  継手部穴、７  ベース、１０  扉、１６  扉ピン、１７  扉ヒンジ、１８  扉アームピン、２０  継手台、２３  嵌合穴、２４  ローラ、３０  ロッキングプレート、３３ａ，３３ｂ  係合部、３４ａ，３４ｂ  傾斜面、４０  扉アーム、４７  係合部、５０  ばね。
【図１】
0005460449.tif 000002
【図２】
0005460449.tif 000003
【図３】
0005460449.tif 000004
【図４】
0005460449.tif 000005
【図５】
0005460449.tif 000006
【図６】
0005460449.tif 000007
【図７】
0005460449.tif 000008
【図８】
0005460449.tif 000009